(57)【要約】【課題】従来のカツラベースよりも微妙な調整が可能であって、したがって高いフィット感を得ることのできるカツラベースを提供する。【解決手段】後頭部ベースＡと、天頂部ベースＢと、サイドベースＣと、ネープ部ベースＤとを備えたカツラベースにおいて、サイドベースＣに伸縮可能な第１調整ベルト１０の一端を、天頂部ベースＢに伸縮可能な第２調整ベルト２０の一端を、ネープ部ベースＤに伸縮可能な第３調整ベルト３０の一端を、それぞれ固定する。そして、第１〜第３調整ベルトの他端を１箇所で３又に連結して、アジャスタ機構を構成する。このような構成によれば、３本の調整ベルトによる３方向からの引っ張り合いを利用して、カツラベースを着用者の頭部にフィットするよう微妙な調整が可能となる。【選択図】図２
2015206133.tif 000002
【特許請求の範囲】
【請求項１】
カツラベース内面上の任意の３箇所に対して、伸縮可能な第１調整ベルト（１０）の一端と、伸縮可能な第２調整ベルト（２０）の一端と、伸縮可能な第３調整ベルト（３０）の一端と、をそれぞれ固定するとともに、
第１〜第３調整ベルトの他端を１箇所で３又に連結してなる、カツラベース。
【請求項２】
上記３箇所は、着用者頭部の周囲方向に沿って間隔をおいた２箇所と、当該２箇所よりもカツラベース内方に位置する別の１箇所とである、請求項１記載のカツラベース。
【請求項３】
着用者の後頭部を覆う後頭部ベース（Ａ）と、
後頭部ベース（Ａ）に連接されていて、着用者の頭頂部から前頭部を覆う天頂部ベース（Ｂ）と、
天頂部ベース（Ｂ）に連接されていて、着用者の側頭部を覆うサイドベース（Ｃ）と、
後頭部ベース（Ａ）に連接されていて、着用者の襟足を覆うネープ部ベース（Ｄ）と、を備えた、請求項２記載のカツラベースであって、
サイドベース（Ｃ）に上記第１調整ベルト（１０）の一端が、天頂部ベース（Ｂ）に上記第２調整ベルト（２０）の一端が、ネープ部ベース（Ｄ）に上記第３調整ベルト（３０）の一端が、それぞれ固定されている、カツラベース。
【請求項４】
上記第１〜第３調整ベルト（１０、２０、３０）の少なくとも１つは、外力が作用しない場合の基準長さが可変に構成されている、請求項１〜３のいずれか１つに記載のカツラベース。
【請求項５】
上記第１〜第３調整ベルト（１０、２０、３０）の他端にそれぞれループ部（１１、２１、３１）が形成されていて、これらループ部をリング部材（４０）に通すことで、当該他端が１箇所で３又に連結されている、請求項１〜４のいずれか１つに記載のカツラベース。
【請求項６】
上記ネープ部ベース（Ｄ）には、カツラベースの周囲方向に沿って複数のベルト端連結部（６５）が設けられていて、
上記第３調整ベルト（３０）の上記一端は、当該一端に設けた連結部（３５）をいずれかのベルト端連結部（６５）に連結することで、位置変更可能にネープ部ベース（Ｄ）に固定されている、請求項３〜５のいずれか１つに記載のカツラベース。
【請求項７】
上記第１および第３調整ベルトの少なくとも一方は、伸縮性部材（７５ａ、ｂ）によって後頭部ベース（Ａ）に係止されている、請求項３〜６のいずれか１つに記載のカツラベース。
【請求項８】
上記第１〜第３調整ベルト（１０、２０、３０）の少なくとも１つについて、その内面に滑り止めコーティングを施してなる、請求項１〜７のいずれか１つに記載のカツラベース。
【請求項９】
上記第１〜第３調整ベルト（１０、２０、３０）およびリング部材（４０）の少なくとも一部を収容するカバー部材（８１、８２）をさらに備えた、請求項１〜７のいずれか１つに記載のカツラベース。
【請求項１０】
請求項１〜９のいずれか１つに記載のカツラベースに対して、擬毛を植設して構成されるカツラ。
【発明の詳細な説明】
【技術分野】
【０００１】
本発明は、頭部全体を覆うカツラベースに関し、さらに詳しくは、３又の調整機構を備えることで頭部への装着性を高めたカツラベースに関する。本発明のカツラベースは、先天的要因もしくは後天的な疾病治療などにより、頭部毛髪の一部または全部が脱毛し、治療過程での頭部毛量の増減により頭部寸法に変化が生じる人が着用する全頭カツラを作製するのに適している。
【背景技術】
【０００２】
従来、レディメイドまたはオーダーメイドで作製される全頭カツラのカツラベースは、一般的に頭部形状に合わせた周縁部を有する帽子状とされている。このようなカツラベースは、一般的に合成繊維製のメッシュ状に織られた生地を用い、頭部全休をいくつかの部位に分け、これら各部位を接合して形成している。
【０００３】
装着感を考慮したカツラとして、例えば特許文献１では、装着者の頭部形状及び頭部の大小に対応させる目的で、カツラベースのサイドプロテクタに金属製や樹脂製の耳芯を介挿し、サイドプロテクタの浮き上がりを抑えている。
特許文献１では、頭皮からカツラベースが浮き上がらないようにすべく、カツラベースの耳周り形状に沿った「くり部」に、金属線やプラスチック材等の剛性部材、または鋼材を挿入すると共に樹脂で硬化させ、当該「くり部」の伸びや変形を抑えている。
【０００４】
特許文献２のカツラでは、細線材を複数本幅状に配列して湾曲状に成形してボーンを形成し、このボーンをネープ部の盆の窪に対応する位置に圧接するよう配置することで、ネープ部の浮き上がりを防止すると共に頭部へのフット感を向上させている。
特許文献３のカツラでは、カツラベースのサイド部の一部、サイド部の前側に連結されたサイドプロテクタの一部、またはネープ部の中央領域を、ポリウレタン等の弾性ネットで形成し、浮き上がりや、ずり上がりを防止している。
【０００５】
特許文献４のカツラでは、頭部形状に合うように全体が帽子状に形成されたカツラベースを使用し、このカツラベースのネープ部にアジャスタを設け、アジャスタの長さを調節することで、カツラベースを着用者の頭部形状にフィットさせている。
また特許文献５には、ネープ部及びサイド部の浮き上がりや、ずり上がりを解消し快適な装着感が得られるようにしたカツラが開示されている。
【先行技術文献】
【特許文献】
【０００６】
【特許文献１】実開昭５７−１４３２１８号公報
【特許文献２】特開２００１―８１６１８号公報
【特許文献３】特開２００７−３２１２９８号公報
【特許文献４】特開２００７−２３９１５３号公報
【特許文献５】特開２００８−６３６９６号公報
【発明の概要】
【発明が解決しようとする課題】
【０００７】
上述したように、カツラベースに関して、着用者の頭部形状にフィットさせて装着感を高めることを目的として、これまで種々の工夫が提案されてきた。本発明は、従来のカツラベースよりも微妙な調整が可能であって、したがって高いフィット感を得ることのできるカツラベースを提供することを目的としている。
【課題を解決するための手段および発明の効果】
【０００８】
本発明のカツラベースにおいては、カツラベース内面上の任意の３箇所に対して、伸縮可能な第１調整ベルトの一端と、伸縮可能な第２調整ベルトの一端と、伸縮可能な第３調整ベルトの一端と、をそれぞれ固定している。そして、第１〜第３調整ベルトの他端を１箇所で３又に連結している。
【０００９】
上記構成を備えた本発明のカツラベースでは、３本の調整ベルトによる３方向からの引っ張り合いを利用して、カツラベースを着用者の頭部にフィットするよう微調整が可能となり、頭部に対する高いフィット感を得ることができる。
【００１０】
本発明のカツラベースにおいて、上記３箇所として「着用者頭部の周囲方向に沿って間隔をおいた２箇所」と「当該２箇所よりもカツラベース内方に位置する別の１箇所」を選択することが好ましい。この場合には、「頭部の周囲方向における調整」と「頭部の前後方向における調整」が可能となる。
【００１１】
本発明のカツラベースにおいて、第１〜第３調整ベルトの少なくとも１つは、外力が作用しない場合の基準長さが可変に構成されていることが好ましい（例えばバックル等を利用する）。
このような構成を採用した場合には、単に伸縮可能な調整ベルトだけで微調整する場合と比べて、大きなスケールでのサイズ調整も可能となる。
【００１２】
また、本発明により、上記カツラベースに人工または天然の擬毛を植設することで、微妙な調整が可能なカツラが提供される。
【図面の簡単な説明】
【００１３】
【図１】本発明の一実施形態に係るカツラベースの基本構成を説明する図。
【図２】図１のカツラベースの内面側（裏面側）を示しており、３又状に連結されたアジャスタ機構を併せて示している。
【図３】図２中のアジャスタ機構のリング部材近傍を拡大して示す詳細図。
【図４】第１調整ベルトおよび第３調整ベルトを伸縮性バンドで係止する例を説明する図。
【図５】アジャスタ機構をカバー部材で覆う例を説明する図。
【発明を実施するための形態】
【００１４】
本発明の実施形態を、添付の図面を参照して以下に説明する。図１は、本発明の一実施形態に係るカツラベース１の基本構成を説明する概略図である。図１（ａ）は、カツラベース１を真横から見た状態を、図１（ｂ）は斜め後方から見た状態を、それぞれ示している。
【００１５】
《カツラベースの基本構成》
カツラベース１は、次に説明する４つの領域からなり、これらを適宜縫い合わせて構成される。
（ａ）着用者の後頭部を覆う後頭部ベースＡ。
（ｂ）後頭部ベースＡに連接されていて、着用者の頭頂部から前頭部を覆う天頂部ベースＢ。
（ｃ）後頭部ベースＡおよび天頂部ベースＢに連接されていて、着用者の側頭部を覆うサイドベースＣ。なお、サイドベースＣは、少なくとも天頂部ベースＢに連接されていれば足り、必ずしも後頭部ベースＡに対しても縫い合わせられている必要はない。
（ｄ）後頭部ベースＡに連接されていて、着用者の襟足を覆うネープ部ベースＤ。
【００１６】
図１（ａ）の反対側の側面にも、同様のサイドベースＣが設けられている。
なお、各ベースＡ〜Ｄは、一般的にカツラベースに使用されるネット部材、樹脂、その他適当な材料で構成すればよい。図では示していないが、カツラベース１に対して、人工または天然の擬毛を植設して、カツラ製品となる。
【００１７】
《アジャスタ機構の構成》
図１で説明したカツラベース１に対して、以下に説明する３又構造のアジャスタ機構を設ける（図２）。なお、図２では、図１中のカツラベースを裏返して示している。すなわち、図２中に現れるカツラベース面は、着用者の頭部と接触する側（すなわち、内面側）である。
【００１８】
アジャスタ機構は、弾性的に伸縮可能な第１〜第３の３つの調整ベルト１０、２０、３０と、これらを３又状に連結するリング部材４０とで構成される。図３は、図２中におけるリング部材４０近傍を詳細に示している。
【００１９】
第１調整ベルト１０は、一端がサイドベースＣに固定されるとともに、他端がループ部１１とされていて、このループ部１１がリング部材４０に通される。
第２調整ベルト２０は、一端が天頂部ベースＢに固定されるとともに、他端がループ部２１とされていて、このループ部２１がリング部材４０に通される。
第３調整ベルト３０は、一端がネープ部ベースＤに固定されるとともに、他端がループ部３１とされていて、このループ部３１がリング部材４０に通される。
【００２０】
図示した実施形態では、第１〜第３の調整ベルト１０、２０、３０は、それぞれ他端を折り返すように縫い付けて、ループ部１１、２１、３１を有するように構成されている。そして、各ループ部をリング部材４０に通すことで、３又の連結部が構成されている。
ただし、本発明においては、３つの調整ベルト１０、２０、３０の他端が１箇所で３又に連結されていればよく、その具体的態様として任意のものを採用できる。例えば、３つの端部を単に１箇所で縫い付けて３又状に固定してもよい。
【００２１】
本発明では伸縮可能な３本の調整ベルトを１箇所で３又に連結しているので、３方向からの引っ張り合いを利用して、カツラベースを着用者の頭部にフィットするよう微妙な調整が可能となる。特に、第１調整ベルト１０と第３調整ベルト３０との引っ張り合いにより、頭部の周囲方向の調整が可能となり、これに加えて、第２調整ベルト２０から上方向に引っ張り上げる力が作用するので、頭部の前後方向における調整も可能となる。
そして、周囲方向への調整を行うと、第２調整ベルト２０を介して、前後方向にも微妙な影響を与えることができ、逆に前後方向への調整を行うと、第１および第３調整ベルト１０、３０を介して、周囲方向にも微妙な影響を与えることができる。このように、「伸縮可能な３本の調整ベルト」および「１箇所における３又状の連結」を利用したことで、カツラベースに対してこれまでにない微妙な調整を行うことが可能となり、極めて高いフィット感を実現することができる。
【００２２】
特に、「１箇所における３又状の連結」の具体的態様として、各調整ベルトの端部にループ部１１、２１、３１を設け、これらをリング部材４０に通す場合には、次のようなメリットが得られる。すなわち、個々の調整ベルト１０、２０、３０とリング部材４０とが、リング周方向への相対スライドが自由な状態で連結されている。
したがって、バックル等の公知の機構を利用して調整ベルトの長さを調整した場合や、頭部に対するカツラベースの位置を調整した場合に、調整ベルトがリングに対してフレキシブルに相対移動できる。これにより、カツラベース１に貯まる応力を有効に解放することができ（すなわち、カツラベースの歪みを解放することができ）、その結果、快適な装着感を高い次元で達成することができる。
【００２３】
なお、調整ベルトの端部にループ部１１、２１、３１を構成するための具体的態様は、図示のものに限定されず適宜の構成を採用すればよい。また、リング部材４０の形状は、円形であることが好ましいが、略三角形等、他の形状であってもよい。
【００２４】
《調整ベルトの長さを調整する態様》
第１〜第３の調整ベルト１０、２０、３０は、弾性部材で構成されていて伸縮可能とされている。さらに第２調整ベルトについては、バックル２５を設けることで、全体の長さが可変とされている（すなわち、外力が作用しない場合の基準長さが可変である）。
このような構成を採用することで、単に伸縮可能な調整ベルトだけで微調整する場合と比べて、大きなスケールでのサイズ調整が併せて可能となる。
【００２５】
外力が作用しない場合の基準長さが可変である限り、具体的な態様は図示したものに限定されない。図示した例では、第２調整ベルト２０のみがバックル２５を備えていて、全体の長さが可変とされているが、他の調整ベルトに対しても、適宜同様の構成を採用することができる。
【００２６】
《調整ベルトの位置変更を可能とする態様》
図２中に一部拡大して示したように、ネープ部ベースＤには、頭部周囲方向に沿って延在する帯体６０が縫い付けられている。帯体６０は、間隔を置いた複数箇所で、ネープ部ベースＤに縫い付け固定されている。すなわち、図２において、複数の縫目６１の間に複数の挿通部６５（ベルト端連結部）が形成される。
一方、第３調整ベルト３０の端部には、差込み固定用のフック部材３５（連結部）が固定されている。したがって、フック部材３５を差し込む挿通部６５を変更することで、第３調整ベルト３０のカツラベース１に対する相対位置を変更することでき、これによって、カツラベース１の周囲方向サイズを変更することが可能となる。すなわち、単に伸縮可能な調整ベルトだけを使用する場合と比べて、大きなスケールでのサイズ調整が併せて可能となる。
図示した具体的態様に限らず、第３調整ベルト３０の端部に何らかの連結部を設け、これに対応する複数の連結部をネープ部ベースＤを設けることで、第３調整ベルト３０の端部をネープ部ベースＤに固定する位置を変更できる構成であればよく、それにより同様の効果を得ることができる。
【００２７】
図示した例では、第３調整ベルト３０に対してのみ、上のような位置変更を可能とする構成を採用しているが、他の調整ベルトに対して、同様の構成を採用してもよい。
【００２８】
《第１調整ベルトおよび第３調整ベルトの変位を抑制する態様》
図４を参照して、第１調整ベルト１０および第３調整ベルト３０に関して、その上方への変位を抑制する態様について説明する。これは、第２調整ベルト２０からの上方へ向かう引張力に対して、第１調整ベルト１０および第３調整ベルト３０が過剰に上方へ移動することを防止して、装着感を高めるための工夫である。
図４（ａ）は当該態様の外観を示しており、図４（ｂ）は、その構造を説明するための一部分解図である。
【００２９】
まず、後頭部ベースＡの外周縁に沿って帯状部材７０を（例えば、縫い付けることで）固定する。この帯状部材７０に沿うように、第１調整ベルト１０および第３調整ベルト３０を配置し、伸縮性のあるバンド７５ａ（伸縮性部材）を周囲に巻くように固定して、帯状部材７０と第１調整ベルト１０を連結する。同様に、伸縮性のあるバンド７５ｂを周囲に巻くように固定して、帯状部材７０と第３調整ベルト３０を連結する。すなわち、第１調整ベルト１０および第３調整ベルト３０は、それぞれ、帯状部材７０を介して、後頭部ベースＡに係止されている。
【００３０】
バンド７５ａ、ｂは伸縮性を有しているので、第１調整ベルト１０および第３調整ベルト３０が、第２調整ベルト２０によって上方へ引き上げられるとき、ベルト１０、３０はある程度は上方に移動可能であるが、過剰に上方移動することが防止される（図４ｃ参照）。このような効果の程度は、伸縮性バンド７５ａ、ｂの材質や構成によって適宜設定できる。
第２調整ベルト２０を短くすることでカツラベース１のサイズ調整を行う際には、第１調整ベルト１０および第３調整ベルト３０が上方へ移動することとなるが、過剰に移動すると着用者の頭部に圧力が作用して、装着感が低下する。バンド７５ａ、ｂを利用することで、これを防止することができる。
【００３１】
なお、図示の例では、第１調整ベルト１０および第３調整ベルト３０の両方に対して、バンド７５ａ、ｂを使用しているが、いずれか一方のみとしてもよい。また、図示した態様以外でも、何らかの伸縮性部材をもって、第１調整ベルト１０または第３調整ベルト３０を後頭部ベースＡに係止するものであれば、同様の効果を得ることができる。
【００３２】
《滑り止めのコーティングを施してグリップ力を高める態様》
図示はしていないが、本発明において、調整ベルト１０〜３０の内面（すなわち、着用者の頭皮に接する面）に滑り止めのコーティングを施してもよい。これは、着用者の地肌に対する滑りを防止するために設けるものであって、残毛状況に応じて、すべての調整ベルト１０〜３０に設けてもよいし、一部の調整ベルトに対してのみ設けてもよい。
コーティングに用いる材質としては、シリコン、ウレタン、ラテックス等が一般的であるが、滑り止めの効果を有するものであれば、これらに限定されるものではない。
【００３３】
《３又状のアジャスタ機構をカバー部材で覆う態様》
図５に示したように、３又状に構成されるアジャスタ機構を覆うカバー部材８１、８２を設けてもよい。これは、リング部材４０その他が着用者の頭皮に接触することに起因する不快感を低減することを目的としたものである。
図５（ａ）では、リング部材４０および第１〜第３調整ベルト１０、２０、３０の全体をカバー部材８１で覆っており、図５（ｂ）では、リング部材４０の近傍のみをカバー部材８２で覆っている。図示したもの以外にも、カバーする領域は適宜自由に定めることができる。
【００３４】
《その他》
図示して説明した実施態様においては、３又状のアジャスタ機構を構成する３本の調整ベルトがカツラベースの天頂部ベースＢ、サイドベースＣ、ネープ部ベースＤに固定されている。しかし、３本の調整ベルトによる３方向からの引っ張り合いを利用して、カツラベースの微調整を可能とした点に本発明の本質的特徴があり、したがって、３本の調整ベルトは、図示した態様以外にも、カツラベースの内面において任意の３箇所に固定することができる。
また、カツラベースの基本構成についても、図示したような４つのベースＡ、Ｂ、Ｃ、Ｄに区画されているもの以外でも、任意の構成を採用することができる。
【００３５】
図示した実施形態では、第１調整ベルト１０と第３調整ベルト３０が頭部の周囲方向に沿って配置されており、これと交差するように第２調整ベルト２０が上方に延在しているので、「頭部の周囲方向における調整」と「頭部の前後方向における調整」とが可能となる。
【符号の説明】
【００３６】
Ａ  後頭部ベース
Ｂ  天頂部ベース
Ｃ  サイドベース
Ｄ  ネープ部ベース
１  カツラベース
１０  第１調整ベルト
１１  ループ部
２０  第２調整ベルト
２１  ループ部
２５  バックル
３０  第３調整ベルト
３１  ループ部
３５  フック部材
４０  リング部材
６０  帯体
６１  縫目
６５  挿通部
７０  帯状部材
７５ａ、ｂ  伸縮性ベルト
８１、８２  カバー部材
【図１】
2015206133.tif 000003
【図２】
2015206133.tif 000004
【図３】
2015206133.tif 000005
【図４】
2015206133.tif 000006
【図５】
2015206133.tif 000007